(57)【要約】【課題】ディスク装置本体の撓み変形に起因するディスクとディスク装置本体との擦れ音が発生するのを抑制することが可能なディスク装置およびディスク装置を備えるテレビ装置を提供する。【解決手段】この液晶テレビジョン（テレビ装置）１００は、ディスク駆動部５１が取り付けられたシャーシ５と、シャーシ５を支持するとともに、シャーシ５を取り付けるための４つの取付部６ａ、６ｂ、６ｃおよび６ｄを含むホルダ６とを備える。また、シャーシ５は、ホルダ６の４つの取付部６ａ、６ｂ、６ｃおよび６ｄのうち少なくとも１つの取付部で移動可能に取り付けられている。【選択図】図２
2009266276.tif 000002
【特許請求の範囲】
【請求項１】
ディスク駆動部が取り付けられたディスク装置本体と、
前記ディスク装置本体を支持するとともに、前記ディスク装置本体を取り付けるための複数の取付部を含む支持部材とを備え、
前記ディスク装置本体は、前記支持部材の複数の取付部のうち少なくとも１つの取付部で移動可能に取り付けられている、ディスク装置。
【請求項２】
前記ディスク装置本体は、前記支持部材に対して所定の隙間を有するとともに、前記支持部材の複数の取付部のうち少なくとも１つの取付部で取付面に対して垂直な方向および平行な方向の少なくとも一方に移動可能に取り付けられている、請求項１に記載のディスク装置。
【請求項３】
前記ディスク駆動部は、ディスク挿入部を含み、
前記ディスク装置本体のディスク挿入部の近傍部分は、前記支持部材に対して前記支持部材の複数の取付部のうち少なくとも１つの取付部に固定的に取り付けられており、
前記ディスク装置本体のディスク挿入部の近傍部分の反対側は、前記支持部材の複数の取付部のうち少なくとも１つの取付部で移動可能に取り付けられている、請求項１または２に記載のディスク装置。
【請求項４】
後側筐体をさらに備え、
前記後側筐体は、前記ディスク装置本体を介して、前記支持部材に対して前記支持部材の複数の取付部のうち少なくとも１つの取付部に取り付けられ、
前記ディスク装置本体は、前記後側筐体と前記支持部材との間で前記後側筐体および前記支持部材に対して移動可能に構成されている、請求項１〜３のいずれか１項に記載のディスク装置。
【請求項５】
前記ディスク装置本体および前記支持部材は、同じ樹脂材料により形成されている、請求項１〜４のいずれか１項に記載のディスク装置。
【請求項６】
ディスク駆動部と、
映像を表示する表示部と、
前記表示部の裏面側に配置され、ディスク駆動部が取り付けられたディスク装置本体と、
前記ディスク装置本体を支持するとともに、前記ディスク装置本体を取り付けるための複数の取付部を含む支持部材とを備え、
前記ディスク装置本体は、前記支持部材の複数の取付部のうち少なくとも１つの取付部で移動可能に取り付けられている、ディスク装置を備えるテレビ装置。
【発明の詳細な説明】
【技術分野】
【０００１】
この発明は、ディスク装置およびディスク装置を備えるテレビ装置に関する。
【背景技術】
【０００２】
従来、ディスク装置と表示部とを備えるテレビ装置が知られている（たとえば、特許文献１〜４参照）。
【０００３】
上記特許文献１には、表示パネル（表示部）と、ディスク装置本体と、ディスク装置本体を支持するとともに貫通孔を有するシャーシ（支持部材）と、吸気孔および排気孔を有するバックキャビネット（後側筐体）とを備える映像表示装置（テレビ装置）が開示されている。上記特許文献１に開示された映像表示装置（テレビ装置）では、吸気孔、貫通孔および排気孔により通風路を形成することによって、ディスク装置本体の温度が上昇するのをある程度抑制している。
【０００４】
また、上記特許文献２には、ＤＶＤ記録再生装置（ディスク装置本体）と、液晶パネルユニット（表示部）とを備える液晶テレビジョン装置（テレビ装置）が開示されている。上記特許文献２に開示された液晶テレビジョン装置（テレビ装置）には、液晶テレビジョン装置（テレビ装置）を動作させた際に発生する熱を冷却するための冷却部材などは設けられていない。
【０００５】
また、上記特許文献３には、映像表示素子と、ペルチェ素子およびヒートシンクなどの冷却用部材とを備える映像表示装置（テレビ装置）が開示されている。上記特許文献３に開示された映像表示装置（テレビ装置）では、映像表示素子の背面にペルチェ素子およびヒートシンクを取り付けることにより、映像表示素子から発生した熱を放熱することによって、映像表示素子の温度が上昇するのを抑制している。また、上記特許文献３には、ディスク装置に関しては、開示も示唆もされていない。
【０００６】
また、上記特許文献４には、表示画面（表示部）と、ＤＶＤ駆動装置（ディスク装置本体）と、ホルダ（支持部材）とを備えるテレビジョン（テレビ装置）が開示されている。上記特許文献４に開示されたテレビジョン（テレビ装置）では、ＤＶＤ駆動装置（ディスク装置本体）は、ホルダ（支持部材）に載置されている。また、テレビジョン（テレビ装置）を動作させた際に発生する熱を冷却するための冷却用部材などは設けられていない。
【０００７】
【特許文献１】特開２００７−１１０２００号公報
【特許文献２】特開２００５−２９５１４６号公報
【特許文献３】特開２０００−２９４７０２号公報
【特許文献４】実用新案登録第３１０８５８６号公報
【発明の開示】
【発明が解決しようとする課題】
【０００８】
しかしながら、上記特許文献１に記載の映像表示装置（テレビ装置）では、ディスク装置本体の温度が上昇するのをある程度抑制することができる一方で、ディスク装置本体は低温でも変形するため表示パネルおよびディスク装置本体の発熱などに起因して、ディスク装置本体およびシャーシ（支持部材）が膨張して撓み変形してしまうという不都合があると考えられる。これにより、映像表示装置（テレビ装置）の装置本体にディスクを挿入して再生する際に、ディスク装置本体およびシャーシの変形に起因してディスクとディスク装置本体の内部とが擦れることにより擦れ音が発生するという問題点があると考えられる。
【０００９】
また、上記特許文献２に記載の液晶テレビジョン装置（テレビ装置）では、冷却用部材が設けられていないため、ＤＶＤ記録再生装置（ディスク装置本体）および液晶パネルユニット（表示部）から発生する熱によって、ＤＶＤ記録再生装置（ディスク装置本体）が膨張して撓み変形してしまうという不都合があると考えられる。その結果、ＤＶＤ記録再生装置の撓み変形に起因して、ＤＶＤ記録再生装置（ディスク装置本体）にＤＶＤ（ディスク）を挿入して再生する際に、ＤＶＤ（ディスク）とＤＶＤ記録再生装置（ディスク装置本体）の内部とが擦れることにより擦れ音が発生するという問題点があると考えられる。
【００１０】
また、上記特許文献３に記載の映像表示装置（テレビ装置）では、ペルチェ素子およびヒートシンクなどの冷却用部材を設けることにより、映像表示素子の温度が上昇するのを抑制することは可能である。しかし、このような上記特許文献３の装置を、たとえば、ディスク装置を備えるテレビ装置に適用すると、映像表示素子の温度が上昇するのを抑制することができる一方、ディスク装置本体から発生する熱によってディスク装置本体の温度が上昇するのを抑制することが困難であると考えられるため、ディスク装置本体が膨張して撓み変形してしまうという不都合が生じると考えられる。その結果、ディスク装置本体の撓み変形に起因して、ディスク装置本体にＤＶＤ（ディスク）を挿入して再生する際に、ＤＶＤ（ディスク）とディスク装置本体の内部とが擦れることにより擦れ音が発生するという問題点が発生すると考えられる。
【００１１】
また、上記特許文献４に記載のテレビジョン（テレビ装置）では、冷却用部材が設けられていないため、表示画面（表示部）およびＤＶＤ駆動装置（ディスク装置本体）から発生する熱によって、ＤＶＤ駆動装置（ディスク装置本体）が膨張して撓み変形してしまうという不都合があると考えられる。その結果、ＤＶＤ記録再生装置（ディスク装置本体）の撓み変形に起因して、ＤＶＤ駆動装置（ディスク装置本体）にＤＶＤ（ディスク）を挿入して再生する際に、ＤＶＤ（ディスク）とＤＶＤ駆動装置（ディスク装置本体）の内部とが擦れることにより擦れ音が発生するという問題点があると考えられる。
【００１２】
この発明は、上記のような課題を解決するためになされたものであり、この発明の１つの目的は、ディスク装置本体の撓み変形に起因するディスクとディスク装置本体との擦れ音が発生するのを抑制することが可能なディスク装置およびディスク装置を備えるテレビ装置を提供することである。
【課題を解決するための手段および発明の効果】
【００１３】
この発明の第１の局面によるディスク装置は、ディスク駆動部が取り付けられたディスク装置本体と、ディスク装置本体を支持するとともに、ディスク装置本体を取り付けるための複数の取付部を含む支持部材とを備え、ディスク装置本体は、支持部材の複数の取付部のうち少なくとも１つの取付部で移動可能に取り付けられている。
【００１４】
この第１の局面によるディスク装置では、上記のように、ディスク装置本体を、支持部材の複数の取付部のうち少なくとも１つの取付部で移動可能に取り付けることによって、ディスク装置本体の発熱などにより、ディスク装置本体が熱膨張した場合でも、熱膨張したディスク装置本体を支持部材に対して相対的に移動させることができる。これにより、ディスク装置本体の熱膨張が支持部材に妨げられることに起因してディスク装置本体が撓み変形するという不都合が発生するのを抑制することができるので、ディスク装置本体によりディスクを再生する際に、ディスクとディスク装置本体の内部とが擦れることにより擦れ音が発生するのを抑制することができる。
【００１５】
この場合、好ましくは、ディスク装置本体は、支持部材に対して所定の隙間を有するとともに、支持部材の複数の取付部のうち少なくとも１つの取付部で取付面に対して垂直な方向および平行な方向の少なくとも一方に移動可能に取り付けられている。このように構成すれば、ディスク装置本体の発熱などにより、ディスク装置本体が熱膨張した場合でも、熱膨張したディスク装置本体を支持部材の取付部の取付面に対して垂直な方向および平行な方向の少なくとも一方に移動させることができる。これにより、ディスク装置本体の熱膨張が支持部材に妨げられることに起因してディスク装置本体が撓み変形するという不都合が発生するのを抑制することができるので、ディスク装置本体によりディスクを再生する際に、ディスクとディスク装置本体の内部とが擦れることにより擦れ音が発生するのを抑制することができる。
【００１６】
上記第１の局面によるディスク装置において、好ましくは、ディスク駆動部は、ディスク挿入部を含み、ディスク装置本体のディスク挿入部の近傍部分は、支持部材に対して支持部材の複数の取付部のうち少なくとも１つの取付部に固定的に取り付けられており、ディスク装置本体のディスク挿入部の近傍部分の反対側は、支持部材の複数の取付部のうち少なくとも１つの取付部で移動可能に取り付けられている。このように構成すれば、ディスク挿入部の近傍部分の位置が支持部材に対してずれるのを抑制することができるので、ディスク挿入部の位置ずれを抑制しながら、ディスクとディスク装置本体との擦れ音が発生するのを抑制することができる。
【００１７】
上記第１の局面によるディスク装置において、好ましくは、後側筐体をさらに備え、後側筐体は、ディスク装置本体を介して、支持部材に対して支持部材の複数の取付部のうち少なくとも１つの取付部に取り付けられ、ディスク装置本体は、後側筐体と支持部材との間で後側筐体および支持部材に対して移動可能に構成されている。このように構成すれば、ディスク装置本体の発熱などによりディスク装置本体が熱膨張した場合でも、熱膨張したディスク装置本体を後側筐体および支持部材に対して相対的に移動させることができる。これにより、ディスク装置本体の熱膨張が後側筐体および支持部材に妨げられることに起因してディスク装置本体が撓み変形するという不都合が発生するのを抑制することができるので、ディスク装置本体によりディスクを再生する際に、ディスクとディスク装置本体の内部とが擦れることにより擦れ音が発生するのを抑制することができる。
【００１８】
上記第１の局面によるディスク装置において、好ましくは、ディスク装置本体および支持部材は、同じ樹脂材料により形成されている。このように構成すれば、ディスク装置本体および支持部材の熱膨張係数が同じになるので、ディスク装置本体および支持部材に熱が加わった際に、ディスク装置本体および支持部材の膨張する方向や大きさを等しくすることができる。これにより、ディスク装置本体が支持部材に対して力が加わるのを抑制することができる。これによっても、ディスク装置本体の撓み変形を抑制することができるので、ディスク装置本体の熱膨張が支持部材に妨げられることに起因してディスク装置本体が撓み変形するという不都合が発生するのをより抑制することができる。
【００１９】
この発明の第２の局面によるディスク装置を備えるテレビ装置は、ディスク駆動部と、映像を表示する表示部と、表示部の裏面側に配置され、ディスク駆動部が取り付けられたディスク装置本体と、ディスク装置本体を支持するとともに、ディスク装置本体を取り付けるための複数の取付部を含む支持部材とを備え、ディスク装置本体は、支持部材の複数の取付部のうち少なくとも１つの取付部で移動可能に取り付けられている。
【００２０】
この第２の局面によるディスク装置を備えるテレビ装置では、上記のように、ディスク装置本体を、支持部材の複数の取付部のうち少なくとも１つの取付部で移動可能に取り付けることによって、ディスク装置本体の発熱などにより、ディスク装置本体が熱膨張した場合でも、熱膨張したディスク装置本体を支持部材に対して相対的に移動させることができる。これにより、ディスク装置本体の熱膨張が支持部材に妨げられることに起因してディスク装置本体が撓み変形するという不都合が発生するのを抑制することができるので、ディスク装置本体によりディスクを再生する際に、ディスクとディスク装置本体の内部とが擦れることにより擦れ音が発生するのを抑制することができる。
【発明を実施するための最良の形態】
【００２１】
以下、本発明を具体化した実施形態を図面に基づいて説明する。
【００２２】
図１は、本発明の一実施形態による液晶テレビジョンを示した全体構成図である。図２は、図１に示した本発明の一実施形態による液晶テレビジョンの構成を示した分解斜視図である。図３〜図１４は、本発明の一実施形態による液晶テレビジョンの詳細な構成を説明するための図である。まず、図１〜図１４を参照して、本発明の一実施形態による液晶テレビジョン１００の構成について説明する。なお、本実施形態では、テレビ装置の一例である、ディスク装置内蔵型の液晶テレビジョン１００に本発明を適用した場合について説明する。
【００２３】
本発明の一実施形態によるディスク装置内蔵型の液晶テレビジョン１００は、図１に示すように、ディスプレイ本体１と、ディスプレイ本体１を前後方向に所定の角度だけ傾けることが可能なスタンド２とを備えている。また、図２に示すように、ディスプレイ本体１は、樹脂製のフロントキャビネット３と、樹脂製のリアキャビネット４と、ディスク駆動部５１が取り付けられたポリスチレン（ＰＳ）からなる樹脂製のシャーシ５およびポリスチレン（ＰＳ）からなる樹脂製のホルダ６からなるディスク装置１００ａと、液晶テレビジョン１００を動作させるための電子部品が設けられたメイン基板７と、映像を表示するための液晶モジュール８とから構成されている。なお、シャーシ５は、本発明の「ディスク装置本体」の一例であり、ホルダ６は、本発明の「支持部材」の一例であり、リアキャビネット４は、本発明の「後側筐体」の一例であり、液晶モジュール８は、本発明の「表示部」の一例である。また、本実施形態では、シャーシ５およびホルダ６は、同じ樹脂材料により形成されている。
【００２４】
フロントキャビネット３は、図２に示すように、Ｙ方向から見てフロントキャビネット３の枠部分には、６つのネジ取付穴３１が形成されている。このフロントキャビネット３は、ネジ９によりリアキャビネット４とともに固定されている。ネジ９は、リアキャビネット４の枠部分に形成されたネジ挿入穴４１を介してフロントキャビネット３のネジ取付穴３１に取り付けられている。
【００２５】
リアキャビネット４は、図２および図３に示すように、Ｙ方向から見て略矩形形状を有している。このリアキャビネット４の中央部分には、ネジ挿入穴４２および４３が形成されている。
【００２６】
樹脂製のシャーシ５は、図２および図４に示すように、平面的に見て略矩形状を有している。このシャーシ５の周辺部分には、４つのホルダ取付部５ａ、５ｂ、５ｃおよび５ｄが設けられている。このシャーシ５のホルダ取付部５ａには、ネジ１０を挿入するためのネジ挿入穴５２が形成されるとともに、ホルダ取付部５ｂ、５ｃおよび５ｄには、後述するボス挿入部５７が形成されている。ディスク駆動部５１の側面部分のホルダ取付部５ａおよび５ｂ間には、ＤＶＤなどのディスクを挿入するためのディスク挿入部５３（図２参照）が設けられている。
【００２７】
ホルダ６は、図２および図４に示すように、載置部６０と、４つの取付部６ａ、６ｂ、６ｃおよび６ｄとから構成されている。このホルダ６の４つの取付部６ａ、６ｂ、６ｃおよび６ｄは、シャーシ５を支持するとともに、シャーシ５を取り付けるために設けられている。この４つの取付部６ａ、６ｂ、６ｃおよび６ｄには、それぞれネジ取付穴６１および４つのネジ挿入穴６２が形成されている。また、取付部６ａ、６ｂ、６ｃおよび６ｄのネジ取付穴６１の近傍には、それぞれ位置決め用穴部６３が形成されている。この位置決め用穴部６３には、シャーシ５のホルダ取付部５ａ、５ｂ、５ｃおよび５ｄの裏面側に形成された位置決め用ボス部５４（図８、図１０、図１２および図１４参照）が、それぞれ係合されるように構成されている。
【００２８】
また、図５、図７および図８に示すように、本実施形態では、シャーシ５のディスク挿入部５３の近傍部分のホルダ取付部５ａは、ネジ１０によりホルダ６の取付部６ａに固定的に取り付けられている。具体的には、ネジ１０は、シャーシ５のホルダ取付部５ａのネジ挿入穴５２を介してホルダ６の取付部６ａのネジ取付穴６１に固定的に取り付けられている。また、図８に示すように、シャーシ５の固定部５５の矢印Ｙ２方向側の端部５６は、ホルダ６のボス部６４の矢印Ｙ１方向側の端部６５に当接するようにして固定的に取り付けられている。
【００２９】
また、図６、図９および図１０に示すように、本実施形態では、シャーシ５のディスク挿入部５３の近傍部分のホルダ取付部５ｂは、ネジ１０によりホルダ６の取付部６ｂに固定的に取り付けられている。具体的には、ネジ１０は、リアキャビネット４のネジ挿入穴４３を介してホルダ６の取付部６ｂのネジ取付穴６１に固定的に取り付けられている。また、図１０に示すように、リアキャビネット４のネジ挿入穴４３の矢印Ｙ２方向側の端部４４は、ホルダ６のボス部６４の矢印Ｙ１方向側の端部６５と当接するようにして取り付けられるとともに、シャーシ５のボス挿入部５７の矢印Ｙ１方向側の端部５８と当接するようにして取り付けられている。また、シャーシ５のボス挿入部５７のネジ１０側の側面部５９は、ホルダ６のボス部６４のネジ１０と反対側の側面部６６と当接するようにして取り付けられている。また、シャーシ５のボス挿入部５７の矢印Ｙ２方向側の端部５１０は、ホルダ６のボス部６４の矢印Ｙ２方向側の部分の段差部６７と当接するようにして取り付けられている。すなわち、シャーシ５のディスク挿入部５３の近傍部分のホルダ取付部５ｂは、取付面と平行な方向（Ｘ方向およびＺ方向）および垂直な方向（Ｙ方向）に移動しないように固定されている。
【００３０】
その一方、図５、図１１および図１２に示すように、本実施形態では、シャーシ５のディスク挿入部５３の近傍部分の反対側のホルダ取付部５ｃは、ネジ１０によりホルダ６の取付部６ｃの取付面に対して平行な方向（Ｘ方向およびＺ方向）および垂直な方向（Ｙ方向）に移動可能に取り付けられている。具体的には、ネジ１０は、リアキャビネット４のネジ挿入穴４２を介してホルダ６の取付部６ｃのネジ取付穴６１に取り付けられている。このとき、図１２に示すように、リアキャビネット４のネジ挿入穴４２の矢印Ｙ２方向側の端部４４は、ホルダ６のボス部６４の矢印Ｙ１方向側の端部６５と当接するようにして取り付けられるとともに、シャーシ５のボス挿入部５７の矢印Ｙ１方向側の端部５４と約１．０ｍｍの長さ（隙間）Ｌ１を有するようにして取り付けられている。また、シャーシ５のボス挿入部５７のネジ１０側の側面部５９は、ホルダ６のボス部６４のネジ１０と反対側の側面部６６と約１．０ｍｍの長さ（隙間）Ｌ２を有するようにして取り付けられている。また、シャーシ５のボス挿入部５７の矢印Ｙ２方向側の端部５１０は、ホルダ６のボス部６４の矢印Ｙ２方向側の部分の段差部６７と当接するようにして取り付けられている。これにより、シャーシ５は、リアキャビネット４およびホルダ６の間でリアキャビネット４およびホルダ６の取付部６ｃの取付面に対して平行な方向（Ｘ方向およびＺ方向）および垂直な方向（Ｙ方向）に移動可能である。
【００３１】
また、図６、図１３および図１４に示すように、本実施形態では、シャーシ５のディスク挿入部５３の近傍部分の反対側のホルダ取付部５ｄは、ネジ１０によりホルダ６の取付部６ｄの取付面に対して平行な方向（Ｘ方向およびＺ方向）および垂直な方向（Ｙ方向）に移動可能に取り付けられている。具体的には、ネジ１０は、ホルダ６の取付部６ｄのネジ取付穴６１に取り付けられている。このとき、図１４に示すように、ネジ１０の矢印Ｙ２方向側の端部１１は、ホルダ６のボス部６４の矢印Ｙ１方向側の端部６５と当接するようにして取り付けられるとともに、シャーシ５のボス挿入部５７の矢印Ｙ１方向側の端部５４と約１．０ｍｍの長さ（隙間）Ｌ３を有するようにして取り付けられている。また、シャーシ５のボス挿入部５７のネジ１０側の側面部５９は、ホルダ６のボス部６４のネジ１０と反対側の側面部６６と約１．０ｍｍの長さ（隙間）Ｌ４を有するようにして取り付けられている。また、シャーシ５のボス挿入部５７の矢印Ｙ２方向側の端部５６は、ホルダ６のボス部６４近傍部分の矢印Ｙ１方向側の端部６８と当接するようにして取り付けられている。これにより、シャーシ５は、ホルダ６およびネジ１０の間でホルダ６の取付部６ｄの取付面およびネジ１０に対して平行な方向（Ｘ方向およびＺ方向）および垂直な方向（Ｙ方向）に移動可能である。
【００３２】
メイン基板７は、図２に示すように、Ｙ方向から見て略矩形形状を有している。このメイン基板７の中央部分には、２つのネジ取付穴７１が形成されているとともに、周辺部分には、ネジ挿入穴７２が形成されている。
【００３３】
液晶モジュール８は、前面側に設けられた液晶パネル８ａと、液晶パネル８ａを覆うように設けられた金属製のフレーム８ｂとを含んでいる。金属製のフレーム８ｂには、図２に示すように、ネジ取付穴８１およびネジ取付穴８２ａが形成されている。また、ネジ取付穴８２ａは、液晶モジュール８の金属製のフレーム８ｂの裏面側に形成された突出部８２に形成されている。この突出部８２は、メイン基板７を液晶モジュール８の金属製のフレーム８ｂと電気的に接続させて静電対策を行う（接地する）ために形成されている。また、図５および図６に示すように、ホルダ６の取付部６ａおよび６ｂは、ネジ１２により液晶モジュール８に取り付けられている。このネジ１２は、ホルダ６の取付部６ａおよび６ｂのネジ挿入穴６２を介して液晶モジュール８のネジ取付穴８１に取り付けられている。また、ホルダ６の取付部６ｃおよび６ｄは、ネジ１１によりメイン基板７に取り付けられている。このネジ１１は、ホルダ６の取付部６ｃおよび６ｄのネジ挿入穴６２およびメイン基板７のネジ挿入穴７１を介して液晶モジュール８の突出部８２のネジ取付穴８２ａに取り付けられている。
【００３４】
本実施形態では、上記のように、シャーシ５を、ホルダ６の４つの取付部６ａ、６ｂ、６ｃおよび６ｄのうち２つの取付部６ｃおよび６ｄで移動可能に取り付けることによって、シャーシ５の発熱などにより、シャーシ５が熱膨張した場合でも、熱膨張したシャーシ５をホルダ６に対して相対的に移動させることができる。これにより、シャーシ５の熱膨張がホルダ６に妨げられることに起因してシャーシ５が撓み変形するという不都合が発生するのを抑制することができるので、シャーシ５によりディスクを再生する際に、ディスクとシャーシ５の内部とが擦れることにより擦れ音が発生するのを抑制することができる。
【００３５】
また、本実施形態では、上記のように、シャーシ５を、ホルダ６に対して所定の隙間を有するとともに、ホルダ６の４つの取付部６ａ、６ｂ、６ｃおよび６ｄのうち２つの取付部６ｃおよび６ｄの取付面に対して垂直な方向および平行な方向に移動可能に取り付けることによって、シャーシ５の発熱などにより、シャーシ５が熱膨張した場合でも、熱膨張したシャーシ５をホルダ６の取付部の取付面に対して垂直な方向および平行な方向に移動させることができる。これにより、シャーシ５の熱膨張がホルダ６に妨げられることに起因してシャーシ５が撓み変形するという不都合が発生するのを抑制することができるので、シャーシ５によりディスクを再生する際に、ディスクとシャーシ５の内部とが擦れることにより擦れ音が発生するのを抑制することができる。
【００３６】
また、本実施形態では、上記のように、シャーシ５のディスク挿入部５３の近傍部分を、ホルダ６に対してホルダ６の２つの取付部６ａおよび６ｂに固定的に取り付け、シャーシ５のディスク挿入部５３の近傍部分の反対側を、ホルダ６の２つの取付部６ｃおよび６ｄで移動可能に取り付けることによって、ディスク挿入部５３の近傍部分の位置がホルダ６に対してずれるのを抑制することができるので、ディスク挿入部５３の位置ずれを抑制しながら、ディスクとシャーシ５との擦れ音が発生するのを抑制することができる。
【００３７】
また、本実施形態では、上記のように、リアキャビネット４を、シャーシ５を介して、ホルダ６に対してホルダ６の取付部６ｃに取り付け、シャーシ５を、リアキャビネット４とホルダ６との間でリアキャビネット４およびホルダ６に対して移動可能に構成することによって、シャーシ５の発熱などによりシャーシ５が熱膨張した場合でも、熱膨張したシャーシ５をリアキャビネット４およびホルダ６に対して相対的に移動させることができる。これにより、シャーシ５の熱膨張がリアキャビネット４およびホルダ６に妨げられることに起因してシャーシ５が撓み変形するという不都合が発生するのを抑制することができるので、シャーシ５によりディスクを再生する際に、ディスクとシャーシ５の内部とが擦れることにより擦れ音が発生するのを抑制することができる。
【００３８】
また、本実施形態では、上記のように、シャーシ５およびホルダ６を、ポリスチレンからなる同じ樹脂材料により形成することによって、シャーシ５およびホルダ６の熱膨張係数が同じになるので、シャーシ５およびホルダ６に熱が加わった際に、シャーシ５およびホルダ６の膨張する方向や大きさを等しくすることができる。これにより、シャーシ５がホルダ６に対して力が加わるのを抑制することができる。これによっても、シャーシ５の撓み変形を抑制することができるので、シャーシ５の熱膨張がホルダ６に妨げられることに起因してシャーシ５が撓み変形するという不都合が発生するのをより抑制することができる。
【００３９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４０】
たとえば、上記実施形態では、テレビ装置に内蔵されるディスク装置に本発明を適用した例を示したが、本発明はこれに限らず、テレビ装置には内蔵されない独立型のディスク装置にも適用可能である。
【００４１】
また、上記実施形態では、本発明のディスク装置を備えるテレビ装置の一例として、液晶テレビジョンを示したが、本発明はこれに限らず、液晶テレビジョン以外のテレビ装置にも適用可能である。
【００４２】
また、上記実施形態では、本発明の所定の隙間の一例として、約１．０ｍｍの隙間を有するように構成する例を示したが、本発明はこれに限らず、約１．０ｍｍ以外の隙間を有するように構成してもよい。
【００４３】
また、上記実施形態では、本発明の一例として、図１４に示したように、シャーシ５のボス挿入部５７の矢印Ｙ２方向側の端部５６をホルダ６のボス部６４近傍部分の矢印Ｙ１方向側の端部６８に当接させるとともに、シャーシ５のボス挿入部５７の矢印Ｙ１方向側の端部５４をネジ１０の矢印Ｙ２方向側の端部１１から離間させて構成する例を示したが、本発明はこれに限らず、図１５に示すように、シャーシ５のボス挿入部５７の矢印Ｙ２方向側の端部５６をホルダ６のボス部６４近傍部分の矢印Ｙ１方向側の端部６８から離間させて長さＬ５の隙間を有するとともに、シャーシ５のボス挿入部５７の矢印Ｙ１方向側の端部５４をネジ１０の矢印Ｙ２方向側の端部１１から離間させて長さＬ５の隙間を有するように構成してもよい。
【００４４】
また、上記実施形態では、本発明の一例として、シャーシがホルダに対して所定の隙間を有することにより移動可能に構成する例を示したが、本発明はこれに限らず、シャーシとホルダとの間に弾性部材などを配置することにより移動可能に構成してもよい。
【００４５】
また、上記実施形態では、本発明の一例として、ポリスチレン（ＰＳ）からなる樹脂製のシャーシおよびホルダを示したが、本発明はこれに限らず、樹脂製であればポリスチレン（ＰＳ）以外の樹脂材料によりシャーシおよびホルダを形成してもよい。
【図面の簡単な説明】
【００４６】
【図１】本発明の一実施形態による液晶テレビジョンの全体構成を示す斜視図である。
【図２】本発明の一実施形態による液晶テレビジョンの分解斜視図である。
【図３】本発明の一実施形態による液晶テレビジョンの背面図である。
【図４】本発明の一実施形態による液晶テレビジョンの背面図である。
【図５】本発明の一実施形態による液晶テレビジョンの側面図である。
【図６】本発明の一実施形態による液晶テレビジョンの側面図である。
【図７】本発明の一実施形態による液晶テレビジョンの詳細を示す斜視図である。
【図８】図４に示した平面図の２００−２００線に沿った断面図である。
【図９】本発明の一実施形態による液晶テレビジョンの詳細を示す斜視図である。
【図１０】図３に示した平面図の２１０−２１０線に沿った断面図である。
【図１１】本発明の一実施形態による液晶テレビジョンの詳細を示す斜視図である。
【図１２】図３に示した平面図の２２０−２２０線に沿った断面図である。
【図１３】本発明の一実施形態による液晶テレビジョンの詳細を示す斜視図である。
【図１４】図３に示した平面図の２３０−２３０線に沿った断面図である。
【図１５】本発明の一実施形態による液晶テレビジョンの変形例を示す断面図である。
【符号の説明】
【００４７】
４  リアキャビネット（後側筐体）
５  シャーシ（ディスク装置本体、ディスク装置）
６  ホルダ（支持部材、ディスク装置）
６ａ、６ｂ、６ｃ、６ｄ  取付部
８  液晶モジュール（表示部）
５１  ディスク駆動部
５３  ディスク挿入部
１００  液晶テレビジョン（テレビ装置）
１００ａ  ディスク装置
【図１】
2009266276.tif 000003
【図２】
2009266276.tif 000004
【図３】
2009266276.tif 000005
【図４】
2009266276.tif 000006
【図５】
2009266276.tif 000007
【図６】
2009266276.tif 000008
【図７】
2009266276.tif 000009
【図８】
2009266276.tif 000010
【図９】
2009266276.tif 000011
【図１０】
2009266276.tif 000012
【図１１】
2009266276.tif 000013
【図１２】
2009266276.tif 000014
【図１３】
2009266276.tif 000015
【図１４】
2009266276.tif 000016
【図１５】
2009266276.tif 000017